(57)【特許請求の範囲】
【請求項１】
マルチアンテナ構成により希望波を消去して、スプリアス成分を抽出するスプリアス成分抽出部と、
前記抽出したスプリアス成分を使用して、受信信号におけるスプリアスをキャンセルするスプリアスキャンセル部と、を有する無線受信装置であって、
前記スプリアス成分抽出部における第１相関部が、前記スプリアス抽出部の出力と前記スプリアスキャンセル部の出力との相関をとる、
ことを特徴とする無線受信装置。
【請求項２】
さらに、前記各アンテナの受信信号をダイバーシティ合成するダイバーシティ合成部を有する、
ことを特徴とする請求項１に記載の無線受信装置。
【請求項３】
前記スプリアス成分抽出部は、前記第１相関部からのタップ係数により制御される第１ＦＩＲフィルタを含み、
前記スプリアスキャンセル部は、第２相関部と、該第２相関部からのタップ係数により制御される第２ＦＩＲフィルタと、を含む、
ことを特徴とする請求項１または請求項２に記載の無線受信装置。
【請求項４】
さらに、
前記受信信号におけるフェージングの発生を検知するフェージング検知部を有し、該フェージング検知部によりフェージング発生が検知されているときには、前記スプリアスのキャンセルを停止する、
ことを特徴とする請求項３に記載の無線受信装置。
【請求項５】
前記マルチアンテナ構成は、２本のアンテナを有し、
前記スプリアス成分抽出部および前記スプリアスキャンセル部は、前記２本のアンテナによる受信信号を高周波処理すると共に、アナログ／ディジタル変換した信号を受け取る請求項１乃至請求項４のいずれか１項に記載の無線受信装置と、
前記２本のアンテナによる受信信号を高周波処理する高周波処理部と、
前記高周波処理した前記受信信号をアナログ／ディジタル変換するアナログ／ディジタル変換部と、
を有することを特徴とする半導体集積回路。
【発明の詳細な説明】
【技術分野】
【０００１】
この出願で言及する実施例は、無線受信装置に関する。
【背景技術】
【０００２】
通信の受信において、送信した信号（希望波）以外の信号（スプリアス）が希望波に混入することがある。このスプリアスは、受信品質を劣化させるため、スプリアスの影響を軽減するのが好ましい。
【０００３】
従来、スプリアスをキャンセルする方法としてマルチアンテナを利用したものが知られており、その一例として自波消去型のスプリアスキャンセル方法がある。
【０００４】
この自波消去型のスプリアスキャンセル方法は、例えば、ＦＩＲ（Finite Impulse Response）フィルタを使用したスプリアス抽出部により、第１アンテナの希望波成分に対して第２アンテナの希望波成分を等振幅で逆相になるようにしてスプリアスを抽出する。
【０００５】
さらに、例えば、ＦＩＲフィルタを使用したスプリアスキャンセル部により、ダイバーシティ合成した受信信号のスプリアス成分に対して抽出したスプリアス成分を等振幅で逆相になるようにしてスプリアス成分をキャンセルする。
【０００６】
このとき、例えば、相関部において、スプリアス抽出部の出力と第２アンテナの信号の相関をとるが、第２アンテナの信号中にはスプリアス成分が存在するため、十分にスプリアス成分をキャンセルして希望波成分のみを取り出すのが困難になる。
【０００７】
ところで、従来、無線受信装置としては、様々なものが提案されている。
【先行技術文献】
【特許文献】
【０００８】
【特許文献１】特開２００９−２１２５９０号公報
【発明の概要】
【発明が解決しようとする課題】
【０００９】
前述したように、例えば、自波消去型のスプリアスキャンセル方法では、ＦＩＲフィルタを使用したスプリアスキャンセル部により、スプリアス抽出部で抽出したスプリアス成分を使用してスプリアス成分をキャンセルしている。
【００１０】
このとき、例えば、相関部において、スプリアス抽出部の出力と第２アンテナの信号の相関をとるが、第２アンテナの信号中にはスプリアス成分が存在するため、十分にスプリアス成分をキャンセルして希望波成分のみを取り出すのが困難になる。
【課題を解決するための手段】
【００１１】
一実施形態によれば、マルチアンテナ構成により希望波を消去して、スプリアス成分を抽出するスプリアス成分抽出部と、スプリアスキャンセル部と、を有する無線受信装置が提供される。
【００１２】
前記スプリアスキャンセル部は、前記抽出したスプリアス成分を使用して、受信信号におけるスプリアスをキャンセルする。ここで、前記スプリアス成分抽出部における第１相関部が、前記スプリアス抽出部の出力と前記スプリアスキャンセル部の出力との相関をとるようになっている。
【発明の効果】
【００１３】
開示の無線受信装置は、スプリアス成分を十分に取り除いて希望波成分のみを取り出すことができるという効果を奏する。
【図面の簡単な説明】
【００１４】
【図１】無線受信装置の一例を示すブロック図である。
【図２Ａ】図１に示す無線受信装置の動作の一例を説明するための図（その１）である。
【図２Ｂ】図１に示す無線受信装置の動作の一例を説明するための図（その２）である。
【図２Ｃ】図１に示す無線受信装置の動作の一例を説明するための図（その３）である。
【図３Ａ】図１に示す無線受信装置の動作の他の例を説明するための図（その１）である。
【図３Ｂ】図１に示す無線受信装置の動作の他の例を説明するための図（その２）である。
【図３Ｃ】図１に示す無線受信装置の動作の他の例を説明するための図（その３）である。
【図４】第１実施例の無線受信装置を示すブロック図である。
【図５Ａ】図４に示す無線受信装置の動作を説明するための図（その１）である。
【図５Ｂ】図４に示す無線受信装置の動作を説明するための図（その２）である。
【図５Ｃ】図４に示す無線受信装置の動作を説明するための図（その３）である。
【図６】図４に示す無線受信装置における相関部の一例を示すブロック図である。
【図７】図４に示す無線受信装置におけるＦＩＲフィルタの一例を示すブロック図である。
【図８】第２実施例の無線受信装置を示すブロック図である。
【図９】第３実施例の無線受信装置を示すブロック図である。
【図１０】第４実施例の無線受信装置を示すブロック図である。
【図１１】本実施例の無線受信装置が適用される無線受信システムの一例の全体構成を示すブロック図である。
【発明を実施するための形態】
【００１５】
まず、無線受信装置の実施例を詳述する前に、無線受信装置およびその問題点を図１〜図３を参照して説明する。
【００１６】
図１は、無線受信装置の一例を示すブロック図であり、２つのアンテナ（マルチアンテナ）によりスプリアスをキャンセルする自波消去型のスプリアスキャンセル方法を適用した無線受信装置を示すものである。
【００１７】
図１において、参照符号１１は第１アンテナ，１２は第２アンテナ，２はスプリアス抽出部，３はスプリアスキャンセル部，そして，４は加算器を示す。スプリアス抽出部２は、加算器２１，ＦＩＲフィルタ２２および相関部２３を有し、また、スプリアスキャンセル部３は、加算器３１，ＦＩＲフィルタ３２および相関部３３を有する。
【００１８】
第１アンテナ１１の出力（第１受信信号）は、加算器４およびスプリアス抽出部２における加算器２１に入力され、また、第２アンテナ１２の第２受信信号は、加算器４，並びに，スプリアス抽出部２におけるＦＩＲフィルタ２２および相関部２３に入力される。
【００１９】
スプリアス抽出部２において、ＦＩＲフィルタ２２の出力は、加算器２１に入力されて第１アンテナ１１からの第１受信信号と加算（から減算）される。加算器２１の出力は、スプリアス抽出部２の相関部２３，並びに，スプリアスキャンセル部３のＦＩＲフィルタ３２および相関部３３に入力される。
【００２０】
スプリアスキャンセル部３において、ＦＩＲフィルタ３２の出力は、加算器３１に入力されて加算器４の出力と加算（から減算）される。加算器３１の出力は、スプリアスキャンセル部３の相関部３３に入力されると共に、検出信号として出力される。
【００２１】
ここで、相関部２３は、第２アンテナ１２からの第２受信信号とスプリアス抽出部２の出力の相関を取り、また、相関部３３は、スプリアス抽出部２の出力とスプリアスキャンセル部３の出力の相関をとる。そして、ＦＩＲフィルタ２２のフィルタ特性は、相関部２３の出力により制御され、また、ＦＩＲフィルタ３２のフィルタ特性は、相関部３３の出力により制御される。
【００２２】
図２Ａ〜図２Ｃは、図１に示す無線受信装置の動作の一例を説明するための図であり、図２Ａは、第１アンテナ１１のコンスタレーションを示し、また、図２Ｂは、第２アンテナ１２のコンスタレーションを示す。
【００２３】
なお、図２Ｃは、スプリアス抽出部２によるダイバーシティ合成時のコンスタレーションを示す。また、各図において、縦軸は、Ｑ信号成分を示し、横軸はＩ信号成分を示す。
【００２４】
図２Ａにおいて、参照符号Ｄ１は、第１アンテナ１１による第１受信信号における希望波成分を示し、また、Ｕ１は、第１受信信号におけるスプリアス成分を示す。同様に、図２Ｂにおいて、参照符号Ｄ２は、第２アンテナ１２による第２受信信号における希望波成分を示し、また、Ｕ２は、第２受信信号におけるスプリアス成分を示す。
【００２５】
図２Ｃに示されるように、スプリアス抽出部２は、第１アンテナ１１の希望波成分Ｄ１に対して第２アンテナ１２の希望波成分Ｄ２を等振幅で逆相となるように、第２アンテナ１２の第２受信信号Ｄ２＋Ｕ２をＦＩＲフィルタ２２で変更する。
【００２６】
ＦＩＲフィルタ２２で変更されたＦＩＲ後の第２受信信号Ｄ２'＋Ｕ２'は、加算器２１により第１アンテナ１１からの第１受信信号Ｄ１＋Ｕ１と合成される。ここで、第１受信信号における希望波成分Ｄ１とＦＩＲ後の第２受信信号の希望波成分Ｄ２'は等振幅で逆相となっている。
【００２７】
そのため、スプリアス抽出部２の出力は、第１受信信号のスプリアス成分Ｕ１とＦＩＲ後の第２受信信号のスプリアス成分Ｕ２’の合成信号Ｕ１＋Ｕ２'となり、スプリアス成分だけが抽出されることになる。
【００２８】
スプリアスキャンセル部３は、スプリアス抽出部２で抽出したスプリアス成分Ｕ１＋Ｕ２'を用いて、スプリアス抽出部２と同様の手法により、第１アンテナ１１および第２アンテナ１２の出力をダイバーシティ合成した合成信号からスプリアス成分を取り除く。
【００２９】
すなわち、第１受信信号と第２受信信号をダイバーシティ合成した合成信号のスプリアス成分に対して、スプリアス抽出部２で抽出したスプリアス成分Ｕ１＋Ｕ２'が等振幅で逆相になるようにＦＩＲフィルタ３２で変更し、合成信号と合成する。これにより、受信信号（合成信号）からスプリアス成分をキャンセルして、希望波成分のみを取り出して出力することができる。
【００３０】
図３Ａ〜図３Ｃは、図１に示す無線受信装置の動作の他の例を説明するための図であり、図３Ａは、第１アンテナ１１のコンスタレーションを示し、また、図３Ｂは、第２アンテナ１２のコンスタレーションを示す。なお、図３Ｃは、スプリアス抽出部２によるダイバーシティ合成時のコンスタレーションを示す。
【００３１】
ここで、図３Ｃにおいて、参照符号Ｄ２'は、ＦＩＲフィルタ２２により濾波された後の第２受信信号における希望波成分を示し、また、Ｕ２'は、ＦＩＲフィルタ２２により濾波された後の第２受信信号におけるスプリアス成分を示す。
【００３２】
図２Ａ〜図２Ｃに示す例では、スプリアス抽出部２の合成時において、第２アンテナ１２の希望波成分Ｄ２を第１アンテナ１１の希望波成分Ｄ１に対して等振幅で逆相となるようにＦＩＲフィルタ２２で調整した場合を説明した。
【００３３】
すなわち、図２Ａ〜図２Ｃは、第１アンテナ１１のスプリアス成分Ｕ１と第２アンテナ１２のスプリアス成分Ｕ２の位相が同じ場合を示している。しかしながら、実際の環境においては、図３Ａおよび図３Ｂに示されるように、殆どの場合、第１アンテナ１１のスプリアス成分Ｕ１と第２アンテナ１２のスプリアス成分Ｕ２の位相は異なっている。
【００３４】
このように、スプリアス成分Ｕ１とＵ２の位相が異なっている場合、相関部２３によりスプリアス抽出部２の出力と第２アンテナ１２の第２受信信号の相関をとるが、第２受信信号中にはスプリアス成分が存在する。
【００３５】
そのため、ＦＩＲフィルタ２２は、第２アンテナ１２による第２受信信号における希望波成分Ｄ２を、第１アンテナ１１による第１受信信号における希望波成分Ｄ１と等振幅で逆相になる位置から少しずれた位置に変更してしまう。
【００３６】
すなわち、図３Ｃに示されるように、スプリアス抽出部２の出力には、スプリアス成分の合成信号Ｕ１＋Ｕ２'のみならず、希望波成分の合成信号Ｄ１＋Ｄ２'が残ることになる。
【００３７】
その結果、スプリアスキャンセル部３において、希望波成分が残ったままのスプリアス成分によりスプリアスをキャンセルしようとしても、十分にスプリアス成分をキャンセルして希望波成分のみを取り出すのが困難になる。
【００３８】
以下、無線受信装置の実施例を、添付図面を参照して詳述する。図４は、第１実施例の無線受信装置を示すブロック図である。
【００３９】
図４において、参照符号１１は第１アンテナ，１２は第２アンテナ，２はスプリアス抽出部，３はスプリアスキャンセル部，そして，４は加算器を示す。
【００４０】
スプリアス抽出部２は、加算器２１，ＦＩＲフィルタ（第１ＦＩＲフィルタ）２２および相関部（第１相関部）２３を有し、また、スプリアスキャンセル部３は、加算器３１，ＦＩＲフィルタ（第２ＦＩＲフィルタ）３２および相関部（第２相関部）３３を有する。
【００４１】
第１アンテナ１１の出力（第１受信信号）は、加算器４およびスプリアス抽出部２における加算器２１に入力され、また、第２アンテナ１２の第２受信信号（ＤIn）は、加算器４，並びに，スプリアス抽出部２におけるＦＩＲフィルタ２２に入力される。
【００４２】
スプリアス抽出部２において、ＦＩＲフィルタ２２の出力（信号ＤOut）は、加算器２１に入力されて第１アンテナ１１からの第１受信信号と加算（から減算）される。加算器２１の出力（信号Ｅ）は、スプリアス抽出部２の相関部２３，並びに，スプリアスキャンセル部３のＦＩＲフィルタ３２および相関部３３に入力される。
【００４３】
スプリアスキャンセル部３において、ＦＩＲフィルタ３２の出力は、加算器３１に入力されて加算器４の出力と加算（から減算）される。加算器３１の出力は、スプリアスキャンセル部３の相関部３３、並びに、スプリアス抽出部２の相関部２３に入力されると共に、検出信号として出力される。
【００４４】
前述した図１と図４の比較から明らかなように、本第１実施例の無線受信装置では、スプリアス抽出部２の相関部２３には、第２アンテナ１２からの第２受信信号ではなく、スプリアスキャンセル部３の加算器３１の出力が入力される。
【００４５】
すなわち、相関部２３および３３は、両方ともスプリアス抽出部２の出力とスプリアスキャンセル部３の出力の相関をとる。そして、ＦＩＲフィルタ２２のフィルタ特性は、相関部２３の出力により制御され、また、ＦＩＲフィルタ３２のフィルタ特性は、相関部３３の出力により制御される。
【００４６】
図５Ａ〜図５Ｃは、図４に示す無線受信装置の動作を説明するための図であり、図５Ａは、第１アンテナ１１のコンスタレーションを示し、また、図５Ｂは、第２アンテナ１２のコンスタレーションを示す。
なお、図５Ｃは、スプリアス抽出部２によるダイバーシティ合成時のコンスタレーションを示す。また、図５Ａおよび図５Ｂは、前述した図３Ａおよび図３Ｂに対応する。ここで、各図において、縦軸は、Ｑ信号成分を示し、横軸はＩ信号成分を示す。
【００４７】
図５Ａにおいて、参照符号Ｄ１は、第１アンテナ１１による第１受信信号における希望波成分を示し、また、Ｕ１は、第１受信信号におけるスプリアス成分を示す。同様に、図５Ｂにおいて、参照符号Ｄ２は、第２アンテナ１２による第２受信信号における希望波成分を示し、また、Ｕ２は、第２受信信号におけるスプリアス成分を示す。
【００４８】
ここで、図５Ｃにおいて、参照符号Ｄ２'は、ＦＩＲフィルタ２２により濾波された後の第２受信信号における希望波成分を示し、また、Ｕ２'は、ＦＩＲフィルタ２２により濾波された後の第２受信信号におけるスプリアス成分を示す。
【００４９】
図４に示されるように、本第１実施例の無線受信装置では、スプリアス抽出部２の相関部２３は、スプリアス抽出部２の出力とスプリアスキャンセル部３の出力の相関をとるようになっている。ここで、スプリアスキャンセル部３の出力は、スプリアスをキャンセルした後の信号であるため、スプリアス成分は存在しない。
【００５０】
これにより、図５Ｃに示されるように、スプリアス抽出部２のＦＩＲフィルタ２２は、第２アンテナ１２における希望波成分Ｄ２を第１アンテナ１１における希望波成分Ｄ１の等振幅で逆相となる位置に変更することができる。
【００５１】
その結果、スプリアス抽出部２の出力中には希望波成分の合成信号Ｄ１＋Ｄ２’が残存せず、スプリアス成分の合成信号Ｕ１＋Ｕ２’のみとすることができ、さらに、後段のスプリアスキャンセル部３で、より多くのスプリアスをキャンセルすることが可能になる。
【００５２】
図６は、図４に示す無線受信装置における相関部２３の一例を示すブロック図である。図６に示されるように、相関部２３は、同様の構成を複数段有し、各段の出力としてＦＩＲフィルタ２２を制御するタップ係数Ｒｅ（Re1，Re2，…）およびＩｍ（Im1，Im2，…）を出力する。
【００５３】
まず、タップ係数Re1，Im1を生成する初段の回路は、複数の乗算器ML11〜ML15、加算器AD11，AD12、積分器IT11，IT12を有し、第２アンテナ１２からの第２受信信号ＤIn（DIn Ich，DIn Qch）並びに加算器２１の出力信号Ｅ（E Ich，E Qch）を受け取って処理する。
【００５４】
すなわち、乗算器ML11は、第２受信信号のＩチャネル信号（Ｉ信号成分）DIn Ichと、加算器２１の出力のＩチャネル信号E Ichを乗算して、その出力を加算器AD11に出力する。
【００５５】
また、乗算器ML12は、第２受信信号のＱチャネル信号（Ｑ信号成分）DIn Qchと、加算器２１の出力のＱチャネル信号E Qchを乗算して、その出力を加算器AD11に出力する。そして、加算器AD11は、入力された乗算器ML11およびML12の出力を加算し、その出力を積分器IT11に出力する。
【００５６】
一方、乗算器ML13は、第２受信信号のＩチャネル信号DIn Ichと、乗算器ML15により符号が反転された加算器２１の出力のＱチャネル信号E Qchを乗算して、その出力を加算器AD12に出力する。
【００５７】
また、乗算器ML14は、第２受信信号のＱチャネル信号DIn Qchと、加算器２１の出力のＩチャネル信号E Ichを乗算して、その出力を加算器AD12に出力する。そして、加算器AD12は、入力された乗算器ML13およびML14の出力を加算し、その出力を積分器IT12に出力する。
【００５８】
次に、タップ係数Re2，Im2を生成する２段目の回路は、初段の回路と同様の構成とされ、複数の乗算器ML21〜ML25、加算器AD21，AD22、積分器IT21，IT22を有する。ここで、２段目の回路は、第２受信信号DIn IchおよびDIn Qchを直接受け取るのではなく、それぞれ遅延時間Ｔを有する遅延素子DL21およびDL22を介して受け取る。なお、加算器２１の出力信号E IchおよびE Qchに関しては、初段の回路と同様に直接受け取る。
【００５９】
さらに、図示していないが、タップ係数Re3，Im3を生成する３段目の回路も、初段および２段目の回路と同様の構成とされるが、第２受信信号DIn IchおよびDIn Qchに関しては、それぞれ２つの遅延素子DL21，DL31およびDL22，DL32を介して受け取る。なお、加算器２１の出力信号E IchおよびE Qchに関しては、初段および２段目の回路と同様に直接受け取る。
【００６０】
以上において、各段の回路における積分器ＩＴ（IT11，IT12，IT21，IT22）は、時定数αが乗算される乗算器ＭＬｉ，遅延素子ＤＬｉ，および、乗算器ＭＬｉの出力と遅延素子ＤＬｉの出力を加算する加算器ＡＤｉを有する。なお、遅延素子ＤＬｉは、加算器ＡＤｉの出力に設けられ、その加算器ＡＤｉの出力を遅延させて乗算器ＡＤｉに出力する。また、時定数αは、１よりも小さい値である。
【００６１】
このように、相関部２３では、乗算器ML11〜ML15，ML21〜ML25，…、並びに、加算器AD11，AD12，AD21，AD22，…により、第２アンテナ１２からの第２受信信号（または、その遅延された信号）DIn Ich，DIn Qchと加算器２１の出力信号E Ich，E Qchの相関をとる。
【００６２】
さらに、積分器IT11，IT12，IT21，IT22，…により、それらの平均を取ってＦＩＲフィルタ２２のタップ係数Re1，Re2，…およびIm1，Im2，…を生成する。
【００６３】
図７は、図４に示す無線受信装置におけるＦＩＲフィルタ２２の一例を示すブロック図である。図７に示されるように、図６を参照して説明した相関部２３で生成されたタップ係数Re1，Re2，…およびIm1，Im2，…は、それぞれＦＩＲフィルタ２２における乗算器MLa1，MLa2，…，MLd1，MLd2，…およびMLb1，MLb2，…，MLc1，MLc2に時定数として与えられる。
【００６４】
すなわち、第２受信信号のＩチャネル信号DIn Ichは、乗算器MLa1によりタップ係数（時定数）Re1が乗算されて加算器ADa1に出力され、遅延素子DLa1により遅延された信号DIn Ichは、乗算器MLa2によりタップ係数Re2が乗算されて加算器ADa1に出力される。
【００６５】
さらに、例えば、遅延素子DLa1およびDLa2により遅延された信号DIn Ichは、図示しない後段の乗算器MLa3によりタップ係数Re3が乗算されて加算器ADa1に出力される。このようにして得られた各乗算器MLa1，MLa2，…の出力は、加算器ADa1により全て加算された後、加算器ADa2に出力される。
【００６６】
また、第２受信信号のＩチャネル信号DIn Ichは、乗算器MLb1によりタップ係数Im1が乗算されて加算器ADb1に出力され、遅延素子DLb1により遅延された信号DIn Ichは、乗算器MLb2によりタップ係数Im2が乗算されて加算器ADb1に出力される。
【００６７】
さらに、例えば、遅延素子DLb1およびDLb2により遅延された信号DIn Ichは、図示しない後段の乗算器MLb3によりタップ係数Im3が乗算されて加算器ADb1に出力される。このようにして得られた各乗算器MLb1，MLb2，…の出力は、加算器ADb1により全て加算された後、加算器ADd2に出力される。
【００６８】
一方、第２受信信号のＱチャネル信号DIn Qchは、乗算器MLc1によりタップ係数Im1が乗算されて加算器ADc1に出力され、遅延素子DLc1により遅延された信号DIn Qchは、乗算器MLc2によりタップ係数Im2が乗算されて加算器ADc1に出力される。
【００６９】
さらに、例えば、遅延素子DLc1およびDLc2により遅延された信号DIn Qchは、図示しない後段の乗算器MLc3によりタップ係数Im3が乗算されて加算器ADc1に出力される。このようにして得られた各乗算器MLc1，MLc2，…の出力は、加算器ADc1により全て加算された後、加算器ADa2に出力され、上述した加算器ADa1の出力と加算されて、出力DOut Ichが生成される。
【００７０】
また、第２受信信号のＱチャネル信号DIn Qchは、乗算器MLd1によりタップ係数Re1が乗算されて加算器ADd1に出力され、遅延素子DLd1により遅延された信号DIn Qchは、乗算器MLd2によりタップ係数Re2が乗算されて加算器ADd1に出力される。
【００７１】
さらに、例えば、遅延素子DLd1およびDLd2により遅延された信号DIn Qchは、図示しない後段の乗算器MLd3によりタップ係数Re3が乗算されて加算器ADd1に出力される。このようにして得られた各乗算器MLd1，MLd2，…の出力は、加算器ADd1により全て加算された後、加算器ADa2に出力され、上述した加算器ADb1の出力と加算されて、出力DOut Qchが生成される。
【００７２】
以上において、図６に示す相関部および図７に示すＦＩＲフィルタは、単なる例であり、他の様々な構成を有する相関部およびＦＩＲフィルタを適用することができるのはいうまでもない。
【００７３】
図８は、第２実施例の無線受信装置を示すブロック図である。図８に示されるように、本第２実施例の無線受信装置では、スプリアスキャンセル部３ａおよび３ｂを、第１および第２アンテナ１１，１２からの第１および第２受信信号に対してそれぞれ設けるようになっている。
【００７４】
なお、スプリアスキャンセル部３ａおよび３ｂにおいて、ＦＩＲフィルタ（第２ＦＩＲフィルタ）３２ａおよび３２ｂは、図４のＦＩＲフィルタ３２に対応し、また、相関部（第２相関部）３３ａおよび３３ｂは、図４の相関部３３に対応する。また、加算器３１ａおよび３１ｂは、図４の加算器３１に対応する。
【００７５】
すなわち、前述した図６に示す第１実施例の無線受信装置では、加算器４により第１および第２受信信号を加算し、その後段にスプリアスキャンセル部３を設けてスプリアスをキャンセルしていた。
【００７６】
これに対して、本第２実施例の無線受信装置では、第１アンテナ１１からの第１受信信号のスプリアスをスプリアスキャンセル部３ａによりキャンセルし、第２アンテナ１２からの第２受信信号のスプリアスをスプリアスキャンセル部３ｂによりキャンセルする。
【００７７】
そして、本第２実施例の無線受信装置では、スプリアスキャンセル部３ａおよび３ｂの出力を受け取るダイバーシティ合成部５により、スプリアスがキャンセルされた第１および第２受信信号をダイバーシティ合成するようになっている。
【００７８】
これにより、例えば、送信信号に既知の信号（パイロット信号）が含まれている場合、スプリアスキャンセル後の受信品質が向上した信号から既知信号を抽出し、その既知信号からより一層高精度なダイバーシティ合成を行うことが可能になる。
【００７９】
図９は、第３実施例の無線受信装置を示すブロック図である。図９に示されるように、本第３実施例の無線受信装置では、フェージング検知部６、および、そのフェージング検知部６の出力により制御されるスイッチ７１，７２が設けられている。
【００８０】
ところで、前述した第１および第２実施例の無線受信装置では、例えば、相関部２３の積分器（IT11，IT12，IT21，IT22）において、或る程度の長さ（時間）の平均を取る必要がある。
【００８１】
しかしながら、例えば、フェージングが発生すると、そのフェージングによってアンテナ間受信信号の位相関係が変化、すなわち、第１アンテナ１１からの第１受信信号と第２アンテナ１２からの第２受信信号の位相関係が変化する。
【００８２】
このように、第１および第２受信信号間の位相関係が変化すると、相関部２３の演算がフェージングの変化に追従できなくなることがある。その場合、スプリアスを抽出することができなくなり、その結果、スプリアスをキャンセルしないときよりも受信品質が劣化する場合も生じるおそれがある。
【００８３】
そこで、本第３実施例の無線受信装置では、フェージング検知部６により、スプリアス抽出部２における相関部２３の出力であるタップ係数の時間変化（分散）を観測する。すなわち、フェージングが無い場合には、タップ係数の時間変化が無く、分散値も小さいが、フェージングがある場合には、タップ係数の時間変化が有り、分散値は大きくなる。
【００８４】
フェージング検知部６は、この分散値が設定された閾値よりも大きいか否かを検出し、分散値が閾値よりも大きい場合にはスプリアスキャンセルを行わない（スイッチ７１，７２をディセーブル側に接続する）ことにより。受信品質の劣化を防ぐ。
【００８５】
一方、分散値が閾値よりも小さい場合には、前述したように、スプリアスのキャンセルを行う（スイッチ７１，７２をイネーブル側に接続する）ことにより。受信品質の向上を図る。
【００８６】
なお、図９では、スプリアスキャンセル部３（３ａ，３ｂ）の構成は、第２実施例に対応させて描いているが、これに限定されないのはもちろんである。
【００８７】
図１０は、第４実施例の無線受信装置を示すブロック図である。前述した第１〜第３実施例では、第１および第２アンテナ１１，１２の２本のアンテナを有する場合を説明したが、本第４実施例では、第１〜第４アンテナ１１〜１４の４本のアンテナを有する例を示す。すなわち、本実施例は、３本以上のマルチアンテナに対しても適用することができる。
【００８８】
ここで、図１０では、４本のアンテナ１１〜１４において、任意の２本のアンテナに対してスプリアス抽出部２ａ〜２ｆを設け、そのときの受信状況において、最適な２本を選択して第１および第２アンテナ１１，１２として利用するようになっている。
【００８９】
なお、アンテナがＮ本の場合（Ｎアンテナ構成の場合）、スプリアスの抽出は、Ｎアンテナ中の２アンテナ間で行うことができ、スプリアス抽出部の個数は、NＣ2（Ｃ：コンビネーション）により求められる。
【００９０】
すなわち、アンテナが２本だけの場合、第２アンテナ１２の希望波成分を第１アンテナ１１の希望波成分に対して等振幅で逆相となるようにＦＩＲフィルタ２２で調整する場合、スプリアス抽出精度が低下する場合がある。
【００９１】
具体的に、例えば、第１アンテナ１１のスプリアス成分と第２アンテナ１２のスプリアス成分が等振幅で同相に近いとき、それぞれのスプリアス成分が打ち消し合って、スプリアス抽出精度が低下することになる。
【００９２】
そのため、アンテナを３本以上設け、２個以上のスプリアス抽出部の出力を観測し、最も安定して電力または振幅が大きいスプリアス抽出部を選択し、それをスプリアスのキャンセル用に使用する。このように、アンテナを３本以上設けることにより、スプリアス抽出精度の低下を避けてスプリアスのキャンセルを行うことができる。
【００９３】
このように、各実施例によれば、受信信号中のスプリアスをキャンセルして、受信品質を向上させることができる。また、フェージング発生時におけるスプリアスキャンセルによる受信品質の劣化や、特定の受信条件かにおけるスプリアス抽出精度の劣化も防ぐことが可能になる。
【００９４】
図１１は、本実施例の無線受信装置が適用される無線受信システムの一例の全体構成を示すブロック図である。図１１に示されるように、第１アンテナ１１で受信した信号は、ＲＦ処理部１０１により高周波処理（ＲＦ処理）され、さらに、アナログ／ディジタル変換器（Ａ／Ｄコンバータ，ＡＤＣ）２０１によりディジタル信号に変換される。
【００９５】
同様に、第２アンテナ１２で受信した信号は、ＲＦ処理部１０２によりＲＦ処理され、さらに、ＡＤＣ２０２によりディジタル信号に変換される。
【００９６】
ＡＤＣ２０１および２０２の出力信号（第１および第２受信信号）は、スプリアスキャンセルおよびダイバーシティ合成部３００でスプリアスのキャンセルと第１および第２アンテナ間のダイバーシティ合成が行われる。
【００９７】
スプリアスキャンセルおよびダイバーシティ合成部３００の出力は、復調処理部４００に入力され、送信側の変調方式に合わせた復調処理が行われる。
【００９８】
ここで、スプリアスキャンセルおよびダイバーシティ合成部３００は、半導体集積回路により実現されるが、例えば、専用の半導体集積回路（チップ）とすることもできるが、他の回路構成を含めることもできる。なお、半導体集積回路としては、ＬＳＩ（Large Scale Integration）やＦＰＧＡ（Field Programmable Gate Array）などがある。
【００９９】
具体的に、例えば、スプリアスキャンセルおよびダイバーシティ合成部３００に対して、復調処理部４００を一緒に含め、或いは、ＡＤＣ２０１，２０２を一緒に含めて１つのＬＳＩやＦＰＧＡを構成することができる。
【０１００】
さらに、ＲＦ処理部１０１，１０２、ＡＤＣ２０１，２０２、スプリアスキャンセルおよびダイバーシティ合成部３００、並びに、復調処理部４００を全て含むＬＳＩやＦＰＧＡを構成することも可能である。
【０１０１】
ここに記載されている全ての例および条件的な用語は、読者が、本発明と技術の進展のために発明者により与えられる概念とを理解する際の助けとなるように、教育的な目的を意図したものである。
【０１０２】
また、具体的に記載されている上記の例および条件、並びに、本発明の優位性および劣等性を示すことに関する本明細書における例の構成に限定されることなく、解釈されるべきものである。
【０１０３】
さらに、本発明の実施例は詳細に説明されているが、本発明の精神および範囲から外れることなく、様々な変更、置換および修正をこれに加えることが可能であると解すべきである。
【０１０４】
以上の実施例を含む実施形態に関し、さらに、以下の付記を開示する。
（付記１）
マルチアンテナ構成により希望波を消去して、スプリアス成分を抽出するスプリアス成分抽出部と、
前記抽出したスプリアス成分を使用して、受信信号におけるスプリアスをキャンセルするスプリアスキャンセル部と、を有する無線受信装置であって、
前記スプリアス成分抽出部における第１相関部が、前記スプリアス抽出部の出力と前記スプリアスキャンセル部の出力との相関をとる、
ことを特徴とする無線受信装置。
【０１０５】
（付記２）
さらに、前記各アンテナの受信信号をダイバーシティ合成するダイバーシティ合成部を有する、
ことを特徴とする付記１に記載の無線受信装置。
【０１０６】
（付記３）
前記ダイバーシティ合成部は、前記スプリアスキャンセル部の前段に設けられ、
前記スプリアスキャンセル部は、前記抽出したスプリアス成分を使用して、前記ダイバーシティ合成された受信信号中のスプリアスをキャンセルする、
ことを特徴とする付記２に記載の無線受信装置。
【０１０７】
（付記４）
前記ダイバーシティ合成部は、前記スプリアスキャンセル部の後段に設けられ、
前記スプリアスキャンセル部は、前記抽出したスプリアス成分を使用して、前記各アンテナの受信信号中のスプリアスをキャンセルし、その後、前記ダイバーシティ合成部によりダイバーシティ合成する、
ことを特徴とする付記２に記載の無線受信装置。
【０１０８】
（付記５）
前記スプリアス成分抽出部は、前記第１相関部からのタップ係数により制御される第１ＦＩＲフィルタを含み、
前記スプリアスキャンセル部は、第２相関部と、該第２相関部からのタップ係数により制御される第２ＦＩＲフィルタと、を含む、
ことを特徴とする付記１乃至付記４のいずれか１項に記載の無線受信装置。
【０１０９】
（付記６）
さらに、
前記受信信号におけるフェージングの発生を検知するフェージング検知部を有し、該フェージング検知部によりフェージング発生が検知されているときには、前記スプリアスのキャンセルを停止する、
ことを特徴とする付記５に記載の無線受信装置。
【０１１０】
（付記７）
さらに、前記フェージング検知部の出力に従って、前記マルチアンテナによる受信信号をそのまま出力するか、或いは、前記スプリアスキャンセル部を介して出力するかを切り替えるスイッチを有する、
ことを特徴とする付記６に記載の無線受信装置。
【０１１１】
（付記８）
前記フェージング検知部は、前記第１ＦＩＲフィルタのタップ係数を使用して前記受信信号におけるフェージングの発生を検知する、
ことを特徴とする付記６または７に記載の無線受信装置。
【０１１２】
（付記９）
前記マルチアンテナ構成は、２本のアンテナを有する、
ことを特徴とする付記１乃至付記８のいずれか１項に記載の無線受信装置。
【０１１３】
（付記１０）
前記マルチアンテナ構成は、３本以上のアンテナを有し、そのうち電力または振幅が安定して大きい２本のアンテナによる受信信号を選択して使用する、
ことを特徴とする付記１乃至付記８のいずれか１項に記載の無線受信装置。
【０１１４】
（付記１１）
前記スプリアス成分抽出部および前記スプリアスキャンセル部は、前記２本のアンテナによる受信信号を高周波処理すると共に、アナログ／ディジタル変換した信号を受け取る、
ことを特徴とする付記９または１０に記載の無線受信装置。
【０１１５】
（付記１２）
付記１１に記載の無線受信装置と、
前記２本のアンテナによる受信信号を高周波処理する高周波処理部と
前記高周波処理した前記受信信号をアナログ／ディジタル変換するアナログ／ディジタル変換部と、
を有することを特徴とする半導体集積回路。
【０１１６】
（付記１３）
前記半導体集積回路は、さらに、
前記無線受信装置からの出力信号を復調処理する復調処理部を有する、
ことを特徴とする付記１２に記載の半導体集積回路。
【０１１７】
（付記１４）
前記半導体集積回路は、１つのＬＳＩまたはＦＰＧＡとして構成される、
ことを特徴とする付記１２または１３に記載の半導体集積回路。
【符号の説明】
【０１１８】
２    スプリアス抽出部
３    スプリアスキャンセル部
４，２１，３１    加算器
１１    第１アンテナ
１２    第２アンテナ
１３    第３アンテナ
１４    第４アンテナ
２２，３２    ＦＩＲフィルタ
２３    相関部（第１相関部）
３３    相関部（第２相関部）
１０１，１０２    ＲＦ処理部
２０１，２０２    アナログ／ディジタル変換器（Ａ／Ｄコンバータ，ＡＤＣ）
３００    スプリアスキャンセルおよびダイバーシティ合成部
４００    復調処理部
【図１】
0005610077.tif 000002
【図２Ａ】
0005610077.tif 000003
【図２Ｂ】
0005610077.tif 000004
【図２Ｃ】
0005610077.tif 000005
【図３Ａ】
0005610077.tif 000006
【図３Ｂ】
0005610077.tif 000007
【図３Ｃ】
0005610077.tif 000008
【図４】
0005610077.tif 000009
【図５Ａ】
0005610077.tif 000010
【図５Ｂ】
0005610077.tif 000011
【図５Ｃ】
0005610077.tif 000012
【図６】
0005610077.tif 000013
【図７】
0005610077.tif 000014
【図８】
0005610077.tif 000015
【図９】
0005610077.tif 000016
【図１０】
0005610077.tif 000017
【図１１】
0005610077.tif 000018